(57)【要約】【課題】制御部に接続される出力装置の効率的な冷却が可能な電子機器を提供する。【解決手段】電子機器は、外装筐体２と、当該電子機器の動作を制御する制御部４と、制御部４に接続され、信号を出力する無線装置５２１と、外装筐体の内部の空気を外部に排出する軸流ファン７２２と、軸流ファン７２２の回転中心軸７２２Ｃに沿う第１方向Ｄ１から見て、軸流ファン７２２が占める第１領域１０Ａｒの外側となる第２領域２０Ａｒに配置され、軸流ファン７２２に向かう空気の流れを変える風向変更部（回路基板４１）と、を備える。無線装置５２１は、第２領域２０Ａｒ内に軸流ファン７２２と並設され、風向変更部は、軸流ファン７２２の無線装置５２１が配置されている側に配置され、第１方向Ｄ１において、無線装置５２１より軸流ファン７２２に流れる空気の上流側に位置している。【選択図】図７
2017129656.tif 000002
【特許請求の範囲】
【請求項１】
電子機器であって、
外装を構成する外装筐体と、
当該電子機器の動作を制御する制御部と、
前記制御部に接続され、信号を出力する出力装置と、
前記外装筐体の内部の空気を外部に排出する排気ファンと、
前記排気ファンの回転中心軸に沿う第１方向から見て、前記排気ファンが占める第１領域の外側となる第２領域に配置され、前記排気ファンに向かう空気の流れを変える風向変更部と、
を備え、
前記出力装置は、前記第２領域内に前記排気ファンと並設され、
前記風向変更部は、前記排気ファンの前記出力装置が配置されている側に配置され、前記第１方向において、前記出力装置より前記排気ファンに流れる空気の上流側に位置していることを特徴とする電子機器。
【請求項２】
請求項１に記載の電子機器であって、
前記外装筐体の内部に配置され、前記出力装置を内部に収納する装置筐体をさらに備え、
前記制御部は、前記出力装置が接続される接続部を有し、
前記装置筐体は、前記出力装置が着脱される第１開口部、前記接続部の先端を露出させる第２開口部、および内部から外部に貫通する貫通孔を有し、
前記外装筐体は、前記第１開口部を露出させる第３開口部を有していることを特徴とする電子機器。
【請求項３】
請求項１または請求項２に記載の電子機器であって、
前記制御部は、回路素子が実装された回路基板を有し、
前記回路基板は、前記風向変更部の少なくとも一部を構成することを特徴とする電子機器。
【請求項４】
請求項２に記載の電子機器であって、
前記制御部は、回路素子が実装された回路基板を有し、
前記回路基板は、前記風向変更部の少なくとも一部を構成し、
当該電子機器は、前記回路基板を支持する支持部をさらに備え、
前記支持部は、前記装置筐体に設けられていることを特徴とする電子機器。
【請求項５】
請求項１〜請求項４のいずれか一項に記載の電子機器であって、
前記出力装置は、外部の機器と無線通信が可能な無線装置であることを特徴とする電子機器。
【請求項６】
光源と、前記光源から射出された光を変調する光変調装置と、前記光変調装置で変調された光を投写する投写光学装置と、を備えたプロジェクターであって、
外装を構成する外装筐体と、
当該プロジェクターの動作を制御する制御部と、
前記制御部に接続され、信号を出力する出力装置と、
前記外装筐体の内部の空気を外部に排出する排気ファンと、
前記排気ファンの回転中心軸に沿う第１方向から見て、前記排気ファンが占める第１領域の外側となる第２領域に配置され、前記排気ファンに向かう空気の流れを変える風向変更部と、
を備え、
前記出力装置は、前記第２領域内に前記排気ファンと並設され、
前記風向変更部は、前記排気ファンの前記出力装置が配置されている側に配置され、前記第１方向において、前記出力装置より前記排気ファンに流れる空気の上流側に位置していることを特徴とするプロジェクター。
【発明の詳細な説明】
【技術分野】
【０００１】
本発明は、電子機器およびプロジェクターに関する。
【背景技術】
【０００２】
従来、プロジェクター等の電子機器が知られている。プロジェクターは、光源、光変調装置、および投写光学装置等を備え、スクリーン等の投写面に画像を投写する。また、近年、無線伝送技術の発展により、外部の装置との間で無線通信を行う無線装置を備えたプロジェクターが提案されている（例えば、特許文献１参照）。
【０００３】
特許文献１に記載のプロジェクターは、外装筐体と、外装筐体に設けられた排気口から外装筐体内部の空気を外部に排気する排気ファンと、無線装置と、を備えている。そして、無線装置は、排気ファンの下流側に配置され、排気ファンから吐出される排気の一部で冷却されるように構成されている。
【先行技術文献】
【特許文献】
【０００４】
【特許文献１】特開２０１４−２３５３６０号公報
【発明の概要】
【発明が解決しようとする課題】
【０００５】
しかしながら、特許文献１に記載の技術では、無線装置を充分に冷却することが難しいという課題がある。すなわち、特許文献１に記載の技術は、排気ファンによって外装筐体内の部材を冷却して暖まった空気で無線装置を冷却する構成なので、この暖まった空気の温度より低い温度に無線装置を冷却できないという課題がある。
【課題を解決するための手段】
【０００６】
本発明は、上述の課題の少なくとも一部を解決するためになされたものであり、以下の形態または適用例として実現することが可能である。
【０００７】
［適用例１］本適用例に係る電子機器は、外装を構成する外装筐体と、当該電子機器の動作を制御する制御部と、前記制御部に接続され、信号を出力する出力装置と、前記外装筐体の内部の空気を外部に排出する排気ファンと、前記排気ファンの回転中心軸に沿う第１方向から見て、前記排気ファンが占める第１領域の外側となる第２領域に配置され、前記排気ファンに向かう空気の流れを変える風向変更部と、を備え、前記出力装置は、前記第２領域に前記排気ファンと並設され、前記風向変更部は、前記排気ファンの前記出力装置が配置されている側に配置され、前記第１方向において、前記出力装置より前記排気ファンに流れる空気の上流側に位置していることを特徴とする。
【０００８】
排気ファンは、空気流入側において、羽根の回転中心軸に沿う第１方向から見て、排気ファンが占める領域（第１領域）はもとより、この第１領域の外側の領域（第２領域）からも空気を吸入する。
この構成によれば、出力装置および風向変更部は、第２領域に設けられ、風向変更部は、排気ファンに対し、出力装置と同一側に配置されている。そして、風向変更部は、上述した位置に配置されているので、第２領域内から排気ファンに向かう空気の流れを変え、風向変更部の下流側の縁部から空気を流通させることが可能となる。すなわち、風向変更部より下流側に位置している出力装置に空気を流通させることが可能となる。よって、第１領域に配置された部材（第１部材）を冷却できると共に、第１部材を冷却した空気が出力装置に直接吹き付けられることを抑制しつつ、出力装置を冷却することが可能となる。
したがって、第１部材および出力装置の温度上昇を抑制し、それぞれが有する機能を確実に発揮できる電子機器の提供が可能となる。
【０００９】
［適用例２］上記適用例に係る電子機器において、前記外装筐体の内部に配置され、前記出力装置を内部に収納する装置筐体をさらに備え、前記制御部は、前記出力装置が接続される接続部を有し、前記装置筐体は、前記出力装置が着脱される第１開口部、前記接続部の先端を露出させる第２開口部、および内部から外部に貫通する貫通孔を有し、前記外装筐体は、前記第１開口部を露出させる第３開口部を有していることが好ましい。
【００１０】
この構成によれば、上述した装置筐体および接続部を備えているので、外装筐体の第３開口部から異なる出力装置を制御部に接続させることができると共に、第３開口部から外装筐体の内部が見えないように構成することや、第３開口部から電子機器の内部に異物が入り込むことを防止することができる。
また、出力装置を収納する装置筐体には、上述した貫通孔が形成されているので、排気ファンの駆動によって装置筐体内の出力装置に空気を流通させることができる。よって、出力装置の冷却が可能となる。
【００１１】
［適用例３］上記適用例に係る電子機器において、前記制御部は、回路素子が実装された回路基板を有し、前記回路基板は、前記風向変更部の少なくとも一部を構成することが好ましい。
【００１２】
この構成によれば、回路基板に冷却空気を流通させることや、風向変更部専用の部材を不要にすることや、風向変更部の簡略化が可能となる。よって、制御部の効率的な冷却、および部品点数の増加や、効率的な部材配置による大型化を抑制した電子機器の提供が可能となる。
【００１３】
［適用例４］上記適用例に係る電子機器において、前記制御部は、回路素子が実装された回路基板を有し、前記回路基板は、前記風向変更部の少なくとも一部を構成し、当該電子機器は、前記回路基板を支持する支持部をさらに備え、前記支持部は、前記装置筐体に設けられていることが好ましい。
【００１４】
この構成によれば、上述した効果に加え、風向変更部の少なくとも一部を構成する回路基板の支持構造、および出力装置に効率良く空気を流通させる風向変更部の配置を容易に実現させることが可能となる。
【００１５】
［適用例５］上記適用例に係る電子機器において、前記出力装置は、外部の機器と無線通信が可能な無線装置であることが好ましい。
【００１６】
この構成によれば、出力装置が無線装置なので、無線装置の効率的な冷却が可能となり、無線通信が有する機能を確実に発揮できる電子機器の提供が可能となる。
【００１７】
［適用例６］本適用例に係るプロジェクターは、光源と、前記光源から射出された光を変調する光変調装置と、前記光変調装置で変調された光を投写する投写光学装置と、を備えたプロジェクターであって、外装を構成する外装筐体と、当該プロジェクターの動作を制御する制御部と、前記制御部に接続され、信号を出力する出力装置と、前記外装筐体の内部の空気を外部に排出する排気ファンと、前記排気ファンの回転中心軸に沿う第１方向から見て、前記排気ファンが占める第１領域の外側となる第２領域に配置され、前記排気ファンに向かう空気の流れを変える風向変更部と、を備え、前記出力装置は、前記第２領域内に前記排気ファンと並設され、前記風向変更部は、前記排気ファンの前記出力装置が配置されている側に配置され、前記第１方向において、前記出力装置より前記排気ファンに流れる空気の上流側に位置していることを特徴とする。
【００１８】
この構成によれば、第１領域に配置された部材（第１部材）を冷却できると共に、第１部材を冷却した空気が出力装置に直接吹き付けられることを抑制しつつ、出力装置を冷却することが可能となる。
したがって、第１部材および出力装置を効率良く冷却することが可能となるので、第１部材および出力装置の温度上昇を抑制し、それぞれが有する機能を確実に発揮できるプロジェクターの提供が可能となる。
【図面の簡単な説明】
【００１９】
【図１】本実施形態のプロジェクターの概略構成を示す模式図。
【図２】本実施形態のプロジェクターの外観の一部を示す図。
【図３】本実施形態における回路基板後方の外装筐体の内部を示す斜視図。
【図４】本実施形態におけるリアケースの一部、および第２インターフェイス部の分解斜視図。
【図５】本実施形態の装置筐体の斜視図であり、後方斜め下側から見た図。
【図６】本実施形態の装置筐体の斜視図であり、後方斜め上側から見た図。
【図７】本実施形態におけるプロジェクターの部分断面図。
【発明を実施するための形態】
【００２０】
以下、本実施形態に係る電子機器の一例であるプロジェクターについて、図面を参照して説明する。
本実施形態のプロジェクターは、光源から射出された光を画像情報に応じて変調し、変調した光をスクリーン等の投写面に拡大投写する。
【００２１】
〔プロジェクターの主な構成〕
図１は、本実施形態のプロジェクター１の主な構成を示す模式図である。
図１に示すように、プロジェクター１は、外装を構成する外装筐体２、光源装置３１を有する光学ユニット３、制御部４、第１インターフェイス部５１、第２インターフェイス部５２、光源装置３１や制御部４等に電力を供給する電源装置６、および第１冷却装置７１、第２冷却装置７２を備える。
なお、以下では、説明の便宜上、プロジェクター１から射出される光の方向を前方（＋Ｙ方向）、机上等に載置されたプロジェクター１の上側を上方（＋Ｚ方向）、後方から見たプロジェクター１の右側を右方（＋Ｘ方向）として記載する。
【００２２】
外装筐体２は、詳細な図示は省略するが、複数の部材を有して構成され、上面２Ｕ、底面２Ｄ（いずれも図２参照）、および図１に示すように、前面２Ｆ、右側面２Ｒ、左側面２Ｌ、および後面２Ｂを有している。そして、左側面２Ｌの前面２Ｆ寄りには、外気を取り込むための吸気口２１が形成され、前面２Ｆの右側面２Ｒ寄りには、外気を取り込むための吸気口２２が形成されている。なお、図示は省略するが、吸気口２１には、外気に混在する塵埃の内部への侵入を防止するための防塵フィルター、および防塵フィルターの外側に着脱自在のカバーが配置されている。
【００２３】
図２は、プロジェクター１の外観の一部を示す図であり、右側面２Ｒおよび後面２Ｂの一部を示す図である。
外装筐体２は、後面２Ｂを形成するリアケース２０Ｂを有している。そして、後面２Ｂには、左側面２Ｌ寄りに排気口２３（図１参照）が形成され、右側面２Ｒ寄りに排気口２４（図２参照）が形成されている。そして、図２に示すように、排気口２４の上方（＋Ｚ方向）には、上下方向（Ｚ方向）より左右方向（Ｘ方向）が長い矩形状の開口部２５が設けられている。なお、図示は省略するが、外装筐体２は、開口部２５を閉塞可能なカバーを備えている。
【００２４】
光学ユニット３は、制御部４による制御の下、光源装置３１から射出された光を光学的に処理して投写する。
光学ユニット３は、図１に示すように、光源装置３１に加え、インテグレーター照明光学系３２、色分離光学系３３、後述する光変調装置を有する光学装置３４、投写光学装置３５、およびこれらの光学部品を光路上の所定位置に配置する光学部品用筐体３６を備える。
【００２５】
光源装置３１は、超高圧水銀ランプやメタルハライドランプ等からなる放電型の光源３１１、およびリフレクター３１２等を備える。光源装置３１は、光源３１１から射出された光をリフレクター３１２にて反射し、インテグレーター照明光学系３２に向けて射出する。
【００２６】
インテグレーター照明光学系３２は、第１レンズアレイ３２１、第２レンズアレイ３２２、偏光変換素子３２３、および重畳レンズ３２４を備える。
第１レンズアレイ３２１は、小レンズがマトリクス状に配列された構成を有しており、光源装置３１から射出された光を複数の部分光に分割する。第２レンズアレイ３２２は、第１レンズアレイ３２１と略同様の構成を有しており、重畳レンズ３２４とともに、部分光を光変調装置の表面に略重畳させる。偏光変換素子３２３は、第２レンズアレイ３２２から射出されたランダム光を光変調装置で利用可能な略１種類の偏光光に揃える機能を有している。
【００２７】
色分離光学系３３は、ダイクロイックミラー３３１，３３２、および反射ミラー３３３〜３３６を備え、インテグレーター照明光学系３２から射出された光を赤色光（以下「Ｒ光」という）、緑色光（以下「Ｇ光」という）、青色光（以下「Ｂ光」という）の３色の色光に分離し、光変調装置に導く機能を有する。
【００２８】
光学装置３４は、光変調装置として各色光用に設けられた３つの液晶パネル３４１（Ｒ光用の液晶パネルを３４１Ｒ、Ｇ光用の液晶パネルを３４１Ｇ、Ｂ光用の液晶パネルを３４１Ｂとする）、各液晶パネル３４１の光入射側、光射出側にそれぞれ配置された入射側偏光板３４２、射出側偏光板３４３、および色合成光学装置としてのクロスダイクロイックプリズム３４４を備える。
【００２９】
液晶パネル３４１は、透過型であり、ガラスなどからなる素子基板、および素子基板に対向して配設された対向基板の間に液晶が密閉封入され、微小画素がマトリクス状に形成された矩形状の画素領域を有している。また、素子基板には、制御部４との電気的接続のためのフレキシブル基板（図示省略）が接続されている。液晶パネル３４１は、このフレキシブル基板を介して制御部４から画像情報に応じた駆動信号が入力され、画素領域の液晶の配向状態が制御され、入射する色光を変調する。
【００３０】
クロスダイクロイックプリズム３４４は、４つの直角プリズムを貼り合わせた平面視略正方形状をなし、直角プリズム同士を貼り合わせた界面には、２つの誘電体多層膜が形成されている。クロスダイクロイックプリズム３４４は、誘電体多層膜が液晶パネル３４１Ｒ，３４１Ｂにて変調されたＲ光およびＢ光を反射し、液晶パネル３４１Ｇにて変調されたＧ光を透過して、３色の変調光を合成する。
【００３１】
投写光学装置３５は、複数のレンズを備え、クロスダイクロイックプリズム３４４にて合成された光をスクリーン上に拡大投写する。
【００３２】
制御部４は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御や、第１冷却装置７１、第２冷却装置７２に備えられたファンの駆動制御等を行う。
制御部４は、ＣＰＵ等の回路素子が実装された回路基板４１、液晶パネル３４１のフレキシブル基板が接続される回路基板（図示省略）等の複数の基板を有している。
回路基板４１は、図１に示すように、光学ユニット３の右方（＋Ｘ方向）の後面２Ｂ寄りに、実装面がＸ−Ｙ平面に略沿うように配置されている。
【００３３】
また、制御部４は、第２インターフェイス部５２の後述する無線装置５２１が接続される接続部４２を備えている。
図３は、回路基板４１後方（−Ｙ方向）の外装筐体２の内部を示す斜視図である。具体的に、図３は、リアケース２０Ｂの一部、第２インターフェイス部５２、接続部４２、および第２冷却装置７２の後述する軸流ファン７２２を示す斜視図である。軸流ファン７２２は、排気ファンに相当する。
接続部４２は、図３に示すように、ケーブル４２１、およびケーブル４２１の両端にそれぞれ設けられた基板側コネクター４２２、装置側コネクター４２３を有している。
基板側コネクター４２２は、回路基板４１に実装された図示しないコネクターに接続される。装置側コネクター４２３は、直方体状の本体部４２３ａ、および本体部４２３ａから突出し、本体部４２３ａの大きさより小さな直方体状の接続端子部４２３ｂ（図４参照）を有し、無線装置５２１が接続される。
【００３４】
第１インターフェイス部５１は、外部装置（コンピューターやビデオプレイヤー等）が接続される接続端子５１１（図２参照）、および接続端子５１１が実装されるインターフェイス基板５１２（図１参照）を備え、入力した信号を制御部４に出力する。接続端子５１１としては、外部装置からの画像信号や音声信号等が入力可能な端子（ＨＤＭＩ（登録商標）規格に準拠する端子、ビデオ端子、オーディオ端子等）がある。
インターフェイス基板５１２は、回路基板４１の右方（＋Ｘ方向）に実装面がＹ−Ｚ平面に略沿うように配置され、接続端子５１１は、図２に示すように、外装筐体２の右側面２Ｒから露出している。
【００３５】
第２インターフェイス部５２は、図１に示すように、回路基板４１後方（−Ｙ方向）に配置されている。第２インターフェイス部５２は、後で詳細に説明するが、出力装置としての無線装置５２１を備えている。無線装置５２１は、図２に示すように、開口部２５から挿入され、制御部４と接続可能に構成されている。無線装置５２１は、制御部４の制御の基、無線通信方式に則った信号を出力し、外部の装置との間で無線通信を実行する。無線装置５２１の無線通信方式としては、例えば無線ＬＡＮ（Local Area Network）、Bluetooth（登録商標）、ＵＷＢ（Ultra Wide Band）、赤外線通信等の近距離無線通信方式、または携帯電話回線を利用した無線通信方式を採用することが可能である。
【００３６】
また、無線装置５２１は、第１インターフェイス部５１の接続端子５１１が配置される右側面２Ｒとは異なる後面２Ｂ側から着脱される。これによって、接続端子５１１に接続されるケーブル等によって無線信号が遮られることが抑制され、良好な送受信を行うことが可能である。
【００３７】
電源装置６は、詳細な図示は省略するが、図１に示すように、回路基板４１の前方（＋Ｙ方向）に配置される。電源装置６は、外部の商用電源から供給された交流電力を整流し、制御部４や光源装置３１に電力を供給する。
【００３８】
第１冷却装置７１は、主に光学ユニット３を冷却する。
第１冷却装置７１は、図１に示すように、左側面２Ｌと光学ユニット３との間に配置される吸気ユニット７１１、排気口２３の内側に配置される軸流ファン７１２、および光源装置３１に空気を送風するランプファン（図示省略）等を備えている。
【００３９】
吸気ユニット７１１は、吸気口２１の内側に配置される吸気ファン（図示省略）、および吸気ファンが吸気口２１から取り込んだ外部の空気を冷却対象（光学装置３４や偏光変換素子３２３等）に導くダクト部材等を備えている。
吸気口２１から導入され、冷却対象を冷却した空気は、図示しないダクト部材によって軸流ファン７１２に導かれ、排気口２３から排出される。
【００４０】
第２冷却装置７２は、主に電源装置６、制御部４および無線装置５２１を冷却する。
第２冷却装置７２は、図１に示すように、吸気口２２の内側に配置される吸気ファン７２１、排気口２４の内側に配置される軸流ファン７２２、および電源装置６と制御部４との間に配置される送風ファン（図示省略）を備えている。
【００４１】
軸流ファン７２２は、回転する羽根を有し、図３に示すように、この羽根の回転中心軸７２２ＣがＹ方向に沿うように配置される。この回転中心軸７２２Ｃに沿う方向を第１方向Ｄ１とする。そして、吸気口２２から導入され、電源装置６および制御部４を冷却した空気は、軸流ファン７２２に導かれ、排気口２４から排出される。
後で詳細に説明するが、回路基板４１は、第１方向Ｄ１から見て、軸流ファン７２２（排気ファン）が占める領域の上方に配置され、軸流ファン７２２に向かう空気の流れを変える風向変更部として機能する。そして、無線装置５２１は、回路基板４１によって流れる方向が変えられた空気によって冷却される。
【００４２】
〔第２インターフェイス部の構成〕
ここで、第２インターフェイス部５２の構成について、詳細に説明する。
図４は、リアケース２０Ｂの一部、および第２インターフェイス部５２の分解斜視図であり、前方斜めから見た図である。
【００４３】
第２インターフェイス部５２は、図４に示すように、無線装置５２１に加え、装置筐体８、支持部９、押え板１０を備えている。
無線装置５２１は、図４に示すように、直方体状の本体部５２１ａ、および本体部５２１ａから突出し、本体部５２１ａの大きさより小さな直方体状の接続端子部５２１ｂを有している。
【００４４】
装置筐体８は、合成樹脂製であり、図３に示すように、リアケース２０Ｂ内の軸流ファン７２２の上方（＋Ｚ方向）に取り付けられる。装置筐体８は、無線装置５２１が制御部４に接続された際に、無線装置５２１を内部に収納するように形成されている。すなわち、無線装置５２１は、第１方向Ｄ１（Ｙ方向）に交差する第２方向Ｄ２（本実施形態ではＺ方向）に軸流ファン７２２と並設される。無線装置５２１と軸流ファン７２２とが第２方向Ｄ２に並設されるとは、＋Ｚ方向から見て、無線装置５２１の少なくとも一部が軸流ファン７２２と重なるように配置されることをいう。
【００４５】
図５は、装置筐体８の斜視図であり、後方斜め下側から見た図である。図６は、装置筐体８の斜視図であり、後方斜め上側から見た図である。
装置筐体８は、図４〜図６に示すように、箱状に形成された収納部８１、収納部８１の−Ｘ側から張り出す張出部８２を有している。
【００４６】
収納部８１は、無線装置５２１が着脱される開口部８１１を有し、外形形状が上下方向（Ｚ方向）より左右方向（Ｘ方向）が長い直方体状に形成されている。具体的に、収納部８１は、開口部８１１が後側（−Ｙ側）に設けられ、上下の面をそれぞれ形成する上壁部８１Ｕ、下壁部８１Ｄ、左右の面をそれぞれ形成する左壁部８１Ｌ、右壁部８１Ｒ、および前側の壁部を形成する底部８１Ｓを有している。
そして、装置筐体８は、リアケース２０Ｂの内側に配置され、図２に示すように、開口部８１１が外装筐体２の開口部２５から露出するように配置されている。開口部８１１は、第１開口部に相当し、開口部２５は第３開口部に相当する。
【００４７】
図４に示すように、底部８１Ｓには、矩形状の開口部８１２、および取付用突起８１３が形成されている。開口部８１２は第２開口部に相当する。
開口部８１２は、底部８１Ｓの略中央に設けられており、接続部４２の先端が露出する。具体的に、開口部８１２には、装置側コネクター４２３の接続端子部４２３ｂが挿通される。
取付用突起８１３は、開口部８１２の左右両側にそれぞれ設けられ、＋Ｙ方向に突出している。各取付用突起８１３は、支持部９を取り付けるための位置決めピン８１３１、およびネジ穴を有するボス８１３２を有している。
【００４８】
上壁部８１Ｕ、下壁部８１Ｄ、左壁部８１Ｌおよび右壁部８１Ｒそれぞれには、複数の貫通孔８１４が形成されている。貫通孔８１４は、収納部８１の内部から外部に貫通しており、後で説明するが、空気が流通する通気孔となる。
また、図５、図６に示すように、上壁部８１Ｕには、下壁部８１Ｄに向かって突出する突起８１５ｕが形成され、下壁部８１Ｄには、上壁部８１Ｕに向かって突出する突起８１５ｄが形成されている。
【００４９】
突起８１５ｕ，８１５ｄは、互いに対向し、開口部８１１における左右方向の中央に設けられ、図２に示すように、無線装置５２１の上下両側に位置するように形成されている。すなわち、突起８１５ｕ，８１５ｄは、無線装置５２１がユーザーによって装置側コネクター４２３に接続される際の案内部として機能する。なお、開口部２５，８１１は、ユーザーが無線装置５２１を指先で把持した状態で無線装置５２１を装置側コネクター４２３に着脱できるような大きさに設定されている。
また、図５に示すように、収納部８１には、上壁部８１Ｕおよび下壁部８１Ｄからそれぞれ面外方向（＋Ｚ方向または−Ｚ方向）へ飛び出る部位を有し、この部位には、ネジ挿通孔８１ｈが形成されている。
【００５０】
張出部８２は、図６に示すように、上壁部８１Ｕに倣う上壁部８２Ｕ、Ｘ−Ｚ面に沿う後壁部８２Ｂ、および上壁部８２Ｕと後壁部８２Ｂとの間に形成され、Ｙ−Ｚ平面に沿う板状部８２１（図４参照）を有している。
上壁部８２Ｕの上面には、Ｙ方向に沿って＋Ｚ方向側へ突出する複数のリブ８２２が形成されている。
後壁部８２Ｂは、上壁部８１Ｕおよび下壁部８１Ｄよりそれぞれ突出する部位を有し、この部位にはネジ挿通孔８２ｈが形成されている。
【００５１】
板状部８２１は、図４に示すように、Ｘ方向に沿って２つ設けられ、底部８１Ｓより＋Ｙ方向に突出する突出部８２１ａを有している。
装置筐体８は、ネジ挿通孔８１ｈ，８２ｈから挿通されたネジが、開口部２５の周縁近傍に設けられたボス２０１（図４参照）のネジ穴に挿入されてリアケース２０Ｂに固定される。
【００５２】
支持部９は、図３に示すように、装置筐体８に取り付けられ、装置側コネクター４２３の上側を支持する機能、および回路基板４１の後側を支持する機能を有している。
支持部９は、金属の板材から加工されて形成されており、図４に示すように、基部９１、コネクター支持部９２、固定部９３、補強部９４、基板固定部９５，９６、および屈曲部９７を有している。
【００５３】
基部９１は、Ｙ方向よりＸ方向が長い長尺状に形成されており、Ｘ方向の長さは、装置筐体８より長く形成されている。
コネクター支持部９２は、基部９１の＋Ｙ側端部から突出しており、図３に示すように、装置側コネクター４２３の本体部４２３ａが下方から挿入可能に左右の端部が下方に屈曲している。
また、基部９１には、図４に示すように、コネクター支持部９２の−Ｙ方向にネジ溝を有する一対のネジ孔９１ｓ、および−Ｚ側に突出する一対の凸部９１ｐが形成されている。
【００５４】
固定部９３は、装置筐体８の取付用突起８１３に対応してコネクター支持部９２の左右両側にそれぞれ設けられている。各固定部９３は、基部９１の＋Ｙ側端部から下方に屈曲されており、それぞれに位置決めピン８１３１に対応する位置決め孔９３１、ボス８１３２のネジ穴に対応するネジ挿通孔９３２が形成されている。支持部９は、位置決め孔９３１に位置決めピン８１３１が挿入されて位置決めされ、ネジ挿通孔９３２から挿通されたネジＳＣ（図３参照）がボス８１３２のネジ穴に挿入されて装置筐体８に固定される。
【００５５】
補強部９４は、基部９１の曲げに対する強度を高める機能を有している。補強部９４は、図４に示すように、基部９１の−Ｙ側端部から上方に屈曲されており、コネクター支持部９２の−Ｘ側の固定部９３とは反対側から基部９１の−Ｘ側端部に亘って形成されている。
【００５６】
基板固定部９５は、支持部９の＋Ｘ側の端部側に形成され、基板固定部９６は、支持部９の−Ｘ側の端部側に形成されている。具体的に、基板固定部９５は、基部９１の−Ｙ側端部から上方に屈曲された後、後方に屈曲されて形成されており、後方に屈曲された部位には、ネジ溝を有するネジ孔９５ｓが設けられている。基板固定部９６は、補強部９４の−Ｘ側の一部から基部９１に対向するように屈曲されて形成されており、基部９１に対向する部位には、ネジ溝を有するネジ孔９６ｓが設けられている。
回路基板４１は、周縁部に複数のネジ挿通孔（図示省略）を有し、後方側が基板固定部９５，９６にネジ固定され、前方側が他の部材（図示省略）にネジ固定されて配置される。
【００５７】
屈曲部９７は、基板固定部９６の＋Ｘ方向側に設けられており、補強部９４の上側端部から後方側に向かって斜め下方に屈曲している。屈曲部９７は、図３に示すように、先端が装置筐体８のリブ８２２に当接するように設定されている。
支持部９は、図３に示すように、基部９１が突出部８２１ａに載置され、屈曲部９７の先端が装置筐体８のリブ８２２に載置されて装置筐体８にネジ固定される。このように、支持部９は、基部９１および屈曲部９７が装置筐体８に当接するように形成されていることにより、回路基板４１が基板固定部９５，９６にネジ固定される際に、撓み等が抑制され、回路基板４１の後側を確実に支持することができる。
【００５８】
押え板１０は、金属の板材から加工されて形成されており、支持部９とで装置側コネクター４２３を保持するように形成されている。押え板１０は、図４に示すように、コネクター支持部９２に挿入された装置側コネクター４２３の接続端子部４２３ｂの下面、および左右の面に当接する当接部１０１、および当接部１０１の両端からそれぞれ屈曲する一対の屈曲部１０２を有している。各屈曲部１０２には、基部９１のネジ孔９１ｓに対応するネジ挿通孔１０３、および基部９１の凸部９１ｐに対応する位置決め孔１０４が形成されている。押え板１０は、装置側コネクター４２３がコネクター支持部９２に挿入された状態で、当接部１０１に接続端子部４２３ｂが挿入され、各屈曲部１０２が凸部９１ｐに位置決めされて支持部９にネジ固定される。その結果、装置側コネクター４２３は、支持部９と押え板１０とで保持される。
【００５９】
〔無線装置の冷却〕
ここで、軸流ファン７２２の駆動による無線装置５２１への空気の流れについて説明する。
先ず、回路基板４１、第２インターフェイス部５２、および軸流ファン７２２の位置関係について詳細に説明する。
図７は、プロジェクター１の部分断面図であり、回路基板４１の後側（−Ｙ側）を−Ｘ方向から見た図である。
【００６０】
図７に示すように、回路基板４１は、軸流ファン７２２の空気流入側において、第１方向Ｄ１から見て、軸流ファン７２２が占める領域（第１領域１０Ａｒ）の外側の領域（第２領域２０Ａｒ）に配置されている。無線装置５２１は、第２領域２０Ａｒ内に軸流ファン７２２と並設されている。また、回路基板４１は、軸流ファン７２２の無線装置５２１が配置されている側に配置され、リアケース２０Ｂの内面から離間し、第２方向Ｄ２における無線装置５２１の軸流ファン７２２とは反対側から、第１方向Ｄ１における軸流ファン７２２に流れる空気２００Ｆの上流側（＋Ｙ側）に延在している。また、回路基板４１は、−Ｙ側の端部が軸流ファン７２２の＋Ｙ側の端部７２２ｉより−Ｙ側に位置し、第１方向Ｄ１において、無線装置５２１より軸流ファン７２２に流れる空気２００Ｆの上流側（＋Ｙ側）に位置するように配置されている。
【００６１】
第２インターフェイス部５２は、軸流ファン７２２の上方、すなわち、第２方向Ｄ２における回路基板４１と軸流ファン７２２との間に配置されている。無線装置５２１は、本体部５２１ａの＋Ｙ側の端部が回路基板４１の−Ｙ側の端部より−Ｙ側に位置するように配置されている。すなわち、回路基板４１は、上流側（＋Ｙ側）とは反対側（−Ｙ側）の端部が本体部５２１ａより上流側（＋Ｙ側）に位置している。
【００６２】
前述したように、回路基板４１は、軸流ファン７２２（排気ファン）に向かう空気の流れを変える風向変更部として機能する。具体的に、風向変更部が設けられていない本実施形態とは異なる構成では、第１領域１０Ａｒの上側で軸流ファン７２２の斜め前方から軸流ファン７２２に向かって空気の流れＶｆ（図７参照）が生じるが、本実施形態では、回路基板４１（風向変更部）によってこの空気の流れＶｆを変えることができる。
【００６３】
そして、軸流ファン７２２の駆動によって電源装置６および制御部４を冷却した空気が排気口２４から排出されることにより、回路基板４１より下方側の領域内の気圧が低下する（負圧が生じる）。その結果、回路基板４１の後方側から回路基板４１の下方に向かう空気の流れが生じる。すなわち、回路基板４１と軸流ファン７２２との間に配置された第２インターフェイス部５２に空気が流通する。第２インターフェイス部５２は、装置筐体８に貫通孔８１４が形成されているので、装置筐体８内の無線装置５２１にも空気が流通する。なお、本実施形態の装置筐体８は、無線装置５２１を囲む４つの壁部（上壁部８１Ｕ、下壁部８１Ｄ、左壁部８１Ｌ、右壁部８１Ｒ）にそれぞれ貫通孔８１４が形成されているが、無線装置５２１に効率良く空気が流通するように形成されていれば、４つの壁部のうち、貫通孔８１４が形成されていない壁部を有する構成であってもよい。
また、電源装置６と制御部４との間に送風ファン（図示省略）が配置されているので、この送風ファンから送風された空気の一部が回路基板４１の上方を流通し、この空気によって第２インターフェイス部５２には、さらに流速が高められた空気が流通する。このように、回路基板４１は、回路基板４１の上方および下方にそれぞれ空気の流路を形成する仕切り板としても機能する。
【００６４】
そして、図７に示すように、無線装置５２１を冷却した空気１００Ｆは、電源装置６（図１参照）や制御部４を冷却した空気２００Ｆと共に軸流ファン７２２に吸入され、排気口２４から排出される（空気３００Ｆ）。
このように、プロジェクター１内には、風向変更部としての回路基板４１が配置されているので、軸流ファン７２２の側方にも空気を流通させることができる。すなわち、空気２００Ｆが無線装置５２１に直接吹き付けられることを抑制し、軸流ファン７２２に並設されている無線装置５２１を冷却することができる。
【００６５】
以上説明したように、本実施形態によれば、以下の効果を得ることができる。
（１）第１領域１０Ａｒ内に配置された部材（電源装置６や制御部４）を冷却できると共に、これらの部材を冷却した空気２００Ｆが無線装置５２１に直接吹き付けられることを抑制しつつ、無線装置５２１を冷却することができる。
よって、プロジェクター１は、外部の装置との間で無線通信を確実に実行し、所望の画像を投写することができる。
【００６６】
（２）プロジェクター１は、装置筐体８および接続部４２を備えているので、開口部２５から異なる無線装置５２１を制御部４に接続させることができると共に、開口部２５から外装筐体２の内部が見えないように構成することや、開口部２５から内部に異物が入り込むことを防止することができる。
また、装置筐体８には、貫通孔８１４が形成されているので、軸流ファン７２２の駆動によって装置筐体８内の無線装置５２１に空気を流通させることができる。よって、無線装置５２１の冷却が可能となる。
【００６７】
（３）回路基板４１は、風向変更部を構成しているので、回路基板４１に冷却空気を流通させることや、風向変更部専用の部材を不要にすることができる。よって、制御部４の効率的な冷却、および部品点数の増加や、効率的な部材配置による大型化を抑制したプロジェクター１の提供が可能となる。
【００６８】
（４）第２インターフェイス部５２は、回路基板４１を支持する支持部９を備え、この支持部９は、装置筐体８に設けられている。これによって、風向変更部を構成する回路基板４１の支持構造、および無線装置５２１に効率良く空気を流通させる回路基板４１の配置を容易に実現させることが可能となる。
【００６９】
（５）支持部９は、回路基板４１および装置側コネクター４２３を支持する。これによって、接続部４２と無線装置５２１とを簡易な構造で、また省スペースで接続可能とすることができる。
【００７０】
なお、前記実施形態は、以下のように変更してもよい。
前記実施形態では、出力装置として無線装置５２１を例示したが、制御部４に接続され、冷却が必要とされる装置であれば、無線装置５２１以外の装置であってもよい。
また、前記実施形態では、電子機器の一例としてプロジェクター１を示したが、制御部４に接続される出力装置を備える電子機器であれば、プロジェクター１以外の電子機器であってもよい。
【００７１】
前記実施形態のプロジェクター１は、装置筐体８を備えているが、装置筐体８を備えない構成とし、部材に支持された装置側コネクター４２３に無線装置５２１が着脱される構成や、回路基板４１に設けられたコネクターに無線装置５２１が着脱される構成であってもよい。
【００７２】
前記実施形態では、風向変更部が回路基板４１で構成されているが、回路基板４１以外の部材で、風向変更部を構成してもよい。また、回路基板４１の少なくとも一部と他の部材とで風向変更部を構成する態様であってもよい。
【００７３】
前記実施形態では、回路基板４１は、リアケース２０Ｂの内面から離間しているが、リアケース２０Ｂに当接または近接するように構成し、第２インターフェイス部５２に相当する位置に冷却空気を流通させる開口部を設けてもよい。この構成の場合、回路基板４１の開口部より上流側の部位が風向変更部として機能する。
【００７４】
前記実施形態では、無線装置５２１が回路基板４１（風光変更部）より下方に配置されているが、回路基板４１より上方、あるいは上下方向（第２方向Ｄ２）において、回路基板４１と略同じ位置となるように構成してもよい。
【００７５】
前記実施形態の無線装置５２１は、軸流ファン７２２の上方に配置されているが、第１方向Ｄ１から見て、第１方向Ｄ１に交差する方向であれば、上方に限らず、右方、左方や、下方に配置される構成であってもよい。
また、無線装置５２１と軸流ファン７２２とが第１方向Ｄ１においてずれた位置に配置される構成であってもよい。
【００７６】
前記実施形態では、無線装置５２１が軸流ファン７２２（排気ファン）が空気を排出する側（後面２Ｂ側）から着脱されるように構成されているが、（排気ファン）が空気を排出する側とは異なる側（例えば、上面２Ｕ側や、右側面２Ｒ側）から着脱される構成であってもよい。
【００７７】
前記実施形態の排気ファンは、軸流ファン７２２で構成されているが、羽根の回転中心軸に沿う方向から取り込んだ冷却空気を回転接線方向に吐出するシロッコファンで構成してもよい。
【００７８】
光源３１１は、放電型のランプを用いたものに限らず、その他の方式のランプや、発光ダイオードやレーザー等の固体光源で構成してもよい。
また、前記実施形態の光学ユニット３は、光源３１１が光を射出する方向と、投写光学装置３５が投写する方向とが同一方向になるように構成されているが、光源３１１が光を射出する方向と、投写光学装置３５が投写する方向とが交差する方向になるように構成してもよい。
【００７９】
前記実施形態のプロジェクター１は、光変調装置として透過型の液晶パネル３４１を用いているが、反射型の液晶パネルを利用したものであってもよい。また、光変調装置としてマイクロミラー型の光変調装置、例えば、ＤＭＤ（Digital Micromirror Device）等を利用したものであってもよい。
また、前記実施形態の光変調装置は、Ｒ光、Ｇ光、およびＢ光に対応する３つの光変調装置を用いるいわゆる３板方式を採用しているが、これに限らず、単板方式を採用してもよく、あるいは、２つまたは４つ以上の光変調装置を備えるプロジェクターにも適用できる。
【符号の説明】
【００８０】
１…プロジェクター（電子機器）、２…外装筐体、４…制御部、８…装置筐体、９…支持部、１０…押え板、１０Ａｒ…第１領域、２０Ａｒ…第２領域、２５…開口部（第３開口部）、３５…投写光学装置、４１…回路基板（風向変更部）、４２…接続部、３１１…光源、３４１…液晶パネル（光変調装置）、５２１…無線装置（出力装置）、７２２…軸流ファン（排気ファン）、７２２Ｃ…回転中心軸、８１１…開口部（第１開口部）、８１２…開口部（第２開口部）、８１４…貫通孔、Ｄ１…第１方向、Ｄ２…第２方向。
【図１】
2017129656.tif 000003
【図２】
2017129656.tif 000004
【図３】
2017129656.tif 000005
【図４】
2017129656.tif 000006
【図５】
2017129656.tif 000007
【図６】
2017129656.tif 000008
【図７】
2017129656.tif 000009